(57)【要約】      （修正有）【課題】  菊割れフタへの取り付け、取り外し作業が妨げられることなく、菊割れフタの環状枠部の内周面に形成される環状の隙間にゴミ等を溜まり難くする。  【解決手段】  流しのゴミ受けカゴの上部に設けられる菊割れフタにおいて、上リング部１５および下リング部１６により形成されるリング体１４と前記リング体１４に設けられる薬剤を収容する複数の収容部１７とから構成され、前記リング体１４は、前記菊割れフタの環状枠部に係止可能な複数の係止片１８を有し、前記上リング部１５との位置関係を前記各係止片１８の先端部分１９が前記上リング部１５の外周面Ｇよりも径方向外側に位置するようにし、かつ前記上リング部１５の外周面Ｇと前記環状枠部の内周面８ａ間に形成される環状の隙間Ｊの径方向における幅ｉを、前記下リング部１６の外周面Ｑと前記環状枠部の内周面８ａ間に形成される環状の隙間Ｗの径方向における幅ｇよりも小さくする。【選択図】  図５
2005048413.tif 000002
【特許請求の範囲】
【請求項１】
ヌメリ除去作用および／または殺菌作用を有する薬剤、あるいは、消臭作用を有する薬剤と、上リング部および下リング部を接合することにより形成され、前記薬剤が収容された状態で、流しのゴミ受けカゴの上部に設けられる菊割れフタに対し着脱自在に設置されるリング体とから構成され、更に、前記リング体は、前記薬剤を収容する複数の収容部を有するとともに、前記下リング部の外周面から径方向外側に放射状に突出して菊割れフタの環状枠部に係止可能な複数の係止片を有してなり、前記各収容部を菊割れフタの底部に形成された複数の排水用長孔に位置させながら、かつ、前記複数の係止片の先端部分を菊割れフタの環状枠部の内周面に食い込ませた状態で菊割れフタに設置される菊割れフタ用薬剤設置部材において、前記各係止片は前記先端部分が前記上リング部の外周面よりも径方向外側に位置するよう径方向外側における前記各係止片と前記上リング部の位置関係が設定されており、かつ、前記上リング部の外周面と前記環状枠部の内周面間に形成される環状の隙間の径方向における幅を、前記下リング部の外周面と前記環状枠部の内周面間に形成される環状の隙間の径方向における幅よりも小さく設定してあることを特徴とする菊割れフタ用薬剤設置部材。
【請求項２】
前記収容部は、当該収容部内に流入する排水の流入孔を、当該収容部内から流出する溶解液の流出孔よりも低い位置に有する請求項１に記載の菊割れフタ用薬剤設置部材。
【発明の詳細な説明】
【技術分野】
【０００１】
この発明は、流しのゴミ受けカゴの上部に設けられる菊割れフタに対し着脱自在に設置され、ヌメリ除去作用および／または殺菌作用を有する薬剤、あるいは、消臭作用を有する薬剤が収容されている菊割れフタ用薬剤設置部材に関するものである。
【背景技術】
【０００２】
本出願人は、図８〜図１１に示すように、流しＷの排水口Ｈにはめ込まれたゴミ受けカゴＤのヌメリとゴミ受けカゴＤの上部に設けられた菊割れフタ８０のヌメリを除去できるヌメリ除去部材８１を提案している（特願２００２−０７９６４１号明細書・図面参照）。
【０００３】
ヌメリ除去部材８１は、リング状で、所定幅Ｂを有する薄肉の上リング部材８２と、外径と内径が上リング部材８２と同じで、かつ、所定幅Ｂを有する薄肉の下リング部材８３を接合することにより形成されており、菊割れフタ８０に対し着脱自在に設置される。８４は、その接合面を示している（図１１参照）。下リング部材８３は、菊割れフタ８０の環状枠部８５の内周面８５ａに係止する複数の係止片８６を円周方向に適宜間隔をおいて外周面Ｍに有し、この係止片８６は、外周面Ｍから径方向外側に突出した二つの突起８６ａ，８６ｂによって構成される。ヌメリ除去部材８１は、ヌメリ除去剤８７を収容する複数の収容部８８を有し、そして、各収容部８８を、菊割れフタ８０の底部８０ａに形成された複数の排水用長孔８０ｂに位置させながら、複数対の前記突起８６ａ，８６ｂの各先端部分を菊割れフタ８０の環状枠部８５の内周面８５ａに食い込ませて複数の係止片８６を環状枠部８５に係止させることで菊割れフタ８０の内側にヌメリ除去部材８１を弾性的に嵌合保持させている。
【発明の開示】
【発明が解決しようとする課題】
【０００４】
しかし、上述したように上リング部材８２の外径ｒと下リング部材８３の外径Ｒは同一に設定されており、図１０に示すように、環状枠部８５の内径Ｔが外径ｒ，Ｒよりもきわめて大に設定されており、上リング部材８２の外周面Ｆと環状枠部８５の内周面８５ａとの間に形成される環状の隙間Ｓの径方向における幅Ａが、突起８６ａの突出長さａに相当する幅を有するので、前記隙間Ｓにゴミ等が溜まり易かった。  
【０００５】
この発明は、上述の事柄に留意してなされたもので、その目的は、菊割れフタへの取り付けおよび菊割れフタからの取り外し作業が妨げられることなく、従来と同様に行えるとともに、菊割れフタの環状枠部の内周面との間に形成される環状の隙間にゴミ等を溜まり難くできる菊割れフタ用薬剤設置部材を提供することである。
【課題を解決するための手段】
【０００６】
上記目的を達成するために、この発明の菊割れフタ用設置部材は、ヌメリ除去作用および／または殺菌作用を有する薬剤、あるいは、消臭作用を有する薬剤と、上リング部および下リング部を接合することにより形成され、前記薬剤が収容された状態で、流しのゴミ受けカゴの上部に設けられる菊割れフタに対し着脱自在に設置されるリング体とから構成され、更に、前記リング体は、前記薬剤を収容する複数の収容部を有するとともに、前記下リング部の外周面から径方向外側に放射状に突出して菊割れフタの環状枠部に係止可能な複数の係止片を有してなり、前記各収容部を菊割れフタの底部に形成された複数の排水用長孔に位置させながら、かつ、前記複数の係止片の先端部分を菊割れフタの環状枠部の内周面に食い込ませた状態で菊割れフタに設置される菊割れフタ用薬剤設置部材において、前記各係止片は前記先端部分が前記上リング部の外周面よりも径方向外側に位置するよう径方向外側における前記各係止片と前記上リング部の位置関係が設定されており、かつ、前記上リング部の外周面と前記環状枠部の内周面間に形成される環状の隙間の径方向における幅を、前記下リング部の外周面と前記環状枠部の内周面間に形成される環状の隙間の径方向における幅よりも小さく設定してあることを特徴としている。
【発明の効果】
【０００７】
この発明では、径方向外側における前記係止片と上リング部の位置関係を、前記係止片の先端部分が前記上リング部の外周面よりも径方向外側に位置するよう設定しているので、前記係止片の先端部分の、菊割れフタの環状枠部の内周面への食い込み動作が前記上リング部によって妨げられることなく、従来と同様に行える。更に、この発明では、前記上リング部の外周面と前記環状枠部の内周面間に形成される環状の隙間の径方向における幅を、前記下リング部の外周面と前記環状枠部の内周面間に形成される環状の隙間の径方向における幅よりも小さく設定しているので、上リング部の外周面と前記環状枠部の内周面間に形成される環状の隙間を従来の環状の隙間に比して小さな幅のものに形成でき、この発明の環状の隙間の方が従来の環状の隙間よりもゴミ等の溜まりかたが少なくなる。
【発明を実施するための最良の形態】
【０００８】
以下、この発明の実施形態を、図を参照しながら説明する。なお、それによってこの発明は限定されるものではない。
【０００９】
図１〜図７は、菊割れフタへの設置作業を上リング部によって妨げられることなく、従来通り行えるとともに、上リング部の外周面と菊割れフタの環状枠部の内周面間に形成される環状の隙間の径方向における幅を従来のものに比して小さくしたこの発明の一実施形態を示す。
【００１０】
図１〜図７において、１は、菊割れフタで、流し２の排水口３にはめ込まれるゴミ受けカゴ４の上部に設けられる。菊割れフタ１は、複数の菊割れ舌片５で構成される平面視円形の底部６と、上方開口７を形成する環状枠部８とより主としてなる。前記底部６は、中心部に丸孔９を有するとともに、ゴミ受けカゴ４に連通する複数の排水用長孔１０を中心部から離れた環状枠部８の側に有する。そして、排水用長孔１０は、円周方向よりも径方向に長い。１１は、環状枠部８の内周面８ａのほぼ中間の高さ位置に設けた環状突条部である。
【００１１】
１２は、菊割れフタ用薬剤設置部材で、ヌメリ除去作用および／または殺菌作用を有する薬剤、あるいは、前記ゴミ受けカゴ内に溜まった生ゴミや下水からの異臭を消す消臭作用を有する薬剤（以下単に薬剤という）１３と、菊割れフタ１に対し着脱自在に設置されるリング体１４とから構成されている。このリング体１４は、樹脂製で、上リング部１５および下リング部１６を接合することにより形成されている。例えば図３におけるＥは、その接合面を示している。前記リング体１４は、前記薬剤１３を収容する複数の収容部１７を有し、また、前記下リング部１６の外周面Ｑから径方向外側に放射状に突出する複数の係止片１８を有する。前記各係止片１８は、外周面Ｑから径方向外側に突出した例えば二つの突起１８ａ，１８ｂによって構成される。そして、前記各収容部１７をそれぞれ、菊割れフタ１の底部６に形成された複数の排水用長孔１０に位置させながら、かつ、前記複数の係止片１８の各先端部分１９を菊割れフタ１の環状枠部８の内周面８ａに食い込ませて複数の係止片１８を環状枠部８に係止させることで菊割れフタ用薬剤設置部材１２は菊割れフタ１の内側に弾性的に嵌合保持された状態でに設置される。各収容部１７は、当該収容部１７内に流入する排水の流入孔２０と当該収容部１７内から流出する溶解液の流出孔２１を有するとともに、前記各収容部１７は、流入孔１７から当該収容部１７に流入し溜まった排水によって予め前記薬剤１３の一部を溶解させるよう構成されている。
前記下リング部１６は、外側上面に凹所２２を有する。この凹所２２とこれの直上に位置する上リング部１５の外側下面部分２３とで前記溶解液流出孔２１を構成する。各収容部１７は、袋状で、一個の薬剤１３が収容可能な空間を有する大きさに形成されて係止片１８，１８間に位置している。収容部１７は、当該収容部１７に流入し溜まった排水によって予め薬剤１３の一部を溶解させる。すなわち、下リング部１６は、薬剤１３を載置するとともに収容するトレイ２５を有する。このトレイ２５は、リング体１４の中心側からみてほぼＵ字形で、一個の薬剤１３を載置するとともに収容可能な凹み部２６を有する。一方、上リング部１５は、前記トレイ２５を上方から覆うトレイカバー体２７を有する。そして、前記収容部１７は、前記トレイ２５とトレイカバー体２７よりなり、トレイカバー体２７は、内側側面に複数の縦方向に長いスリット状の前記排水流入孔２０を有する。  すなわち、前記収容部１７は、排水の流入孔２０を内側面下部に有するとともに、排水流入孔２０から収容部１７内に流入し溜まった排水によって収容部１７内の薬剤１３の一部を溶解してなる溶解液の流出孔２１を排水流入孔２０の高さ位置よりも高い外側面上部に有するとともに、菊割れフタ用薬剤設置部材１２が菊割れフタ１の内側に設置されたときは、収容部１７は排水用長孔１０に位置しており、かつ、溶解液の流出孔２１は、菊割れフタ１の底部６より上方に位置する。なお、排水流入孔２０の直上流側に設けられて排水を通過させるとともに、排水に混じって収容部１７に流れてくるゴミによる排水流入孔２０の目詰まりを防止する複数のスリットを収容部１７に形成するのが好ましい。
【００１２】
前記各係止片１８は前記先端部分１９が前記上リング部１５の外周面Ｇよりも径方向外側に長さΔだけ長く位置するよう径方向外側における前記各係止片１８と前記上リング部１５の位置関係が設定されている。
また、前記上リング部１５の外周面Ｇと前記環状枠部８の内周面８ａ間に形成される環状の隙間Ｊの径方向における幅ｉを、前記下リング部１６の外周面Ｑと前記環状枠部８の内周面８ａ間に形成される環状の隙間Ｗの径方向における幅ｇよりも小さく設定してある。
【００１３】
而して、流しの排水は、菊割れフタ１の底部６に形成されている排水用長孔１０を経てゴミ受けカゴ４に至る。このとき、流しの排水は、各収容部１７の排水流入孔２０に流入して薬剤１３の一部を溶解させるとともに、排水流入孔２０に流入する排水の勢いにて、菊割れフタ用薬剤設置部材１２の径方向外側で、排水流入孔２０よりも高い位置にある溶解液流出孔２１から溶解液が菊割れフタ１の底部６に至り、排水用長孔１０を経てゴミ受けカゴ４に至るとともに、菊割れ舌片５上に排水の一部が滞留する。そのため、ゴミ受けカゴ４に付着している生ゴミ、あるいは、下水からの異臭を消すことができたり、ゴミ受けカゴ４の殺菌を行ったり、ゴミ受けカゴ４に付着しているヌメリを除去できるとともに、このゴミ受けカゴ４上部に設けられる菊割れフタ１に付着している生ゴミ、あるいは、下水からの異臭を消すことができたり、菊割れフタ１の殺菌を行ったり、菊割れフタ１に付着しているヌメリを除去できる。                                    
【００１４】
そして、一旦排水が無くなった状態では、すなわち、収容部１７の凹み部２６内に排水が流入しなくかった状態では、先に凹み部２６内に流入し溜まった排水によって薬剤１３の一部は溶解しており、しかも、凹み部２６内に排水が溜まっているので、溶解液は飽和液になり易くなる。つまり、薬剤１３の溶解が安定する。この状態で排水があると、飽和溶解液を薄める形で、かつ、飽和溶解液に混じって溶解液が溶解液流出孔２１から流出する。よって、ゴミ受けカゴ４、菊割れフタ１に付着している生ゴミ、あるいは、下水からの異臭を効果的に消すことができたり、ゴミ受けカゴ４、菊割れフタ１の殺菌を効果的に行えたり、ゴミ受けカゴ４、菊割れフタ１に付着しているヌメリを効果的に除去できる。
【００１５】
しかも、上リング部１５の外周面Ｇと環状枠部８の内周面８ａ間に形成される環状の隙間Ｊを従来の環状の隙間Ｓに比して小さな幅ｉのものに形成でき、この発明の環状の隙間Ｊの方が従来の環状の隙間Ｓよりもゴミ等の溜まりかたが少なくなる。
【図面の簡単な説明】
【００１６】
【図１】この発明の一実施形態における取り付け状態を示す構成説明図である。
【図２】上記実施形態における取り付け状態を示す要部構成説明図である。
【図３】上記実施形態で用いた割りリング体を内側から見た縦断面図である。
【図４】上記実施形態で用いた割りリング体を示す平面図である。
【図５】上記実施形態で用いた割りリング体を示す底面図である。
【図６】上記実施形態における収容部を示す縦断面図である。
【図７】上記実施形態における上リング部および下リング部の接合状態を示す縦断面図である。
【図８】（Ａ）は、従来例における使用状態を示す構成説明図である。（Ｂ）は、菊割れフタとゴミ受けカゴを示す図である。
【図９】従来例を示す平面図である。
【図１０】従来例を示す底面図である。
【図１１】従来例を内側から見た縦断面図である。
【符号の説明】
【００１７】
１  菊割れフタ
６  底部
８  環状枠部
８ａ  内周面
１０  排水用長孔
１２  菊割れフタ用薬剤設置部材
１３  薬剤
１４  リング体
１５  上リング部
１６  下リング部
１７  収容部
１８  係止片
１９  先端部分
Ｑ，Ｇ  外周面
Ｊ，Ｗ  環状の隙間
ｉ，ｇ  径方向における幅
Δ  長さ
【図１】
2005048413.tif 000003
【図２】
2005048413.tif 000004
【図３】
2005048413.tif 000005
【図４】
2005048413.tif 000006
【図５】
2005048413.tif 000007
【図６】
2005048413.tif 000008
【図７】
2005048413.tif 000009
【図８】
2005048413.tif 000010
【図９】
2005048413.tif 000011
【図１０】
2005048413.tif 000012
【図１１】
2005048413.tif 000013